(57)【要約】【課題】  万華鏡における観賞部に設けた模様小片の形状を遊び手側で能動的に変化させることができるようにすることによって、さらに模様パターンの変化を豊富にする。【解決手段】  筒状本体１を相互に相対回動可能な第１の筒体１０と第２の筒体１１とから構成し、多角柱形状の鏡筒２の両端部をそれぞれ第１，第２の筒体１０，１１に相対回動不能に連結し、かつ鏡筒２を構成する鏡板２０を曲げ方向に可撓性を有するものとして構成することによって、第１の筒体１０と第２の筒体１１とを相対回動させることによって、鏡筒２を捩じることができるようにしている。【選択図】  図１
2005284199.tif 000002
【特許請求の範囲】
【請求項１】
多角柱形状で、その軸線方向に沿う内面が反射面となった鏡体が装着され、かつこの鏡体の一端側には覗き窓が、他端側には観賞部がそれぞれ装着された万華鏡において、
前記鏡体は、軸回りに捩じり可能な可撓性を備えた材料により構成されていることを特徴とする万華鏡。
【請求項２】
前記鏡体は、中実構造の多角柱形状のものであり、その側面には内向きの反射面を形成するコート層が形成されていることを特徴とする請求項１記載の万華鏡。
【請求項３】
前記鏡体は、反射面を有し、この反射面が内向きとなるようにした板状可撓性部材で構成したことを特徴とする請求項１記載の万華鏡。
【請求項４】
前記鏡体は、多角柱の隅部を構成する複数のステーと、これら各ステー間を取り巻くように装着される内面に反射面を有する可撓性シートとから構成したことを特徴とする請求項１記載の万華鏡。
【請求項５】
前記鏡体は、前記覗き窓側の第１の筒体と、この第１の筒体に対して所定角度回動可能に嵌合させた前記観賞部側の第２の筒体とから構成される筒状本体内に配置され、前記第１の筒体と第２の筒体とが相対回動することによって軸回りに捩じり可能な構成としたことを特徴とする請求項１乃至４のいずれかに記載の万華鏡。
【請求項６】
前記筒状本体は、前記第１の筒体と第２の筒体との嵌合部に、相対回動させた状態に保持するための係止機構を係脱可能に設ける構成としたことを特徴とする請求項５記載の万華鏡。
【請求項７】
前記鏡体は、前記第２の筒体に固定させ、また前記第１の筒体に対しては相対回動不能で軸線方向に変位可能に装着する構成としたことを特徴とする請求項１乃至６のいずれかに記載の万華鏡。
【請求項８】
前記第１の筒体と前記第２の筒体とは、その嵌合長を変化可能となし、また前記鏡体は、前記第１の筒体に固定される第１の鏡体部と、前記第２の筒体に固定される第２の鏡体部とから構成し、これら第１の鏡体部と第２の鏡体部とは相互に所定長さ分だけ嵌合状態に装着する構成としたことを特徴とする請求項５乃至７のいずれかに記載の万華鏡。
【発明の詳細な説明】
【技術分野】
【０００１】
本発明は万華鏡に関するものである。
【背景技術】
【０００２】
万華鏡は、一般に、円筒形の筒状本体の内部に、複数枚の鏡板を組み合わせて、例えば三角柱形状等の角柱形状となった鏡筒を挿入して設け、かつ筒状本体の一端側には覗き窓を形成し、他端側には観賞部が装着されている。覗き窓は円環状の板体の中央部分にガラス等の透明板を装着したものから構成され、また観賞部は、外面側が採光部で、内面側が透明部とからなる２枚の円板を装着して、それらの間に収容空間部を形成して、この収容空間部内にランダムな形状の模様小片を多数収容させたもので構成される。従って、覗き窓から内部を覗くと、模様小片が鏡筒により反復的に多重反射する。そして、筒状本体を回転させると、模様小片が収容空間内で移動することから、その反射像のパターンが様々に、また複雑に変化することになり、この模様パターンの変化を楽しむ遊具である。
【０００３】
ここで、万華鏡により観察できる模様パターンは観賞部における収容空間部内に収容させた模様小片の数や形状により様々に変化するが、模様小片に変化がない限り、観察される模様パターンもあまり大きく変化することはないことから、遊具としてはかなりあきやすいものである。そこで、観察される模様パターンに多様性を持たせるために、観賞部を交換可能にしたものがあるが、観賞部として、中空筒部材内に流動物と共に模様等を有する小片を多数封入しておき、この小片が移動する状態を観察させることにより、観察される模様パターンの変化に多様性を持たせるようにしたものが、特許文献１に開示されている。
【０００４】
以上のように、観賞部によって万華鏡の楽しみ方を増す工夫は様々行なわれているが、模様パターンは、観賞部によって変化するだけでなく、鏡筒もパターン変化に関与するものである。そこで、鏡筒を構成する鏡板を平面形状とするのではなく、その短手方向に湾曲させたものを組み合わせて近似した三角柱形状としたものが、特許文献２に示されている。このように、鏡筒における湾曲した鏡板に模様小片が反射すると、その形状が歪曲するように変化することになり、さらにそれが多重反射することから、複雑な模様パターンの変化を持たせることができる。
【特許文献１】特開２００１−２９６４９８号公報
【特許文献２】特開昭６１−３４５２０号公報
【発明の開示】
【発明が解決しようとする課題】
【０００５】
ところで、前述した特許文献１のように、中空筒部材内に流動物と共に模様等を有する小片を多数封入した観賞部を用いた場合には、流動物内をゆっくりと落下する小片同士が織り成す模様のパターンを楽しめるが、さらに人為的に模様パターンに変化を加えることができない。一方、特許文献２にあるように、湾曲させた鏡板で鏡筒を作成したとしても、やはり模様小片の変化は一定であり、遊び手側で小片同士が織り成す模様パターンを変化させるのは回転という操作のみでしかあり得ない。つまり、特許文献１においては上下を逆さにするという操作、特許文献２の場合は回転操作というそれぞれ一通りの操作以外に楽しむ手法がなく、遊具としての満足度に不満が残るという問題点がある。
【０００６】
本発明は以上の点に鑑みてなされたもであって、その目的とするところは、万華鏡における観賞部に設けた模様小片の形状を遊び手側で能動的に変化させることができるようにすることによって、さらに模様パターンの変化を豊富にすることにある。
【課題を解決するための手段】
【０００７】
前述した目的を達成するために、本発明は、多角柱形状で、その軸線方向に沿う内面が反射面となった鏡体が装着され、かつこの鏡体の一端側には覗き窓が、他端側には観賞部がそれぞれ装着された万華鏡であって、前記鏡体は、軸回りに捩じり可能な可撓性を備えた材料により構成されていることをその特徴とするものである。
【０００８】
ここで、鏡体は中実構造の多角柱形状のものであり、その側面に内向きの反射面を形成するコート層を形成したものや、反射面が内向きとなるようにした板状可撓性部材で構成することができ、さらに鏡体として、多角柱の隅部を構成する複数のステーと、これら各ステー間を取り巻くように装着される内面に反射面を有する可撓性シートとから構成することもできる。
【０００９】
覗き窓及び観賞部は直接鏡体に連結しても良いが、覗き窓側の第１の筒体と、この第１の筒体に対して所定角度回動可能に嵌合させた観賞部側の第２の筒体とから構成される筒状本体内に鏡体を配置し、第１の筒体と第２の筒体とが相対回動することによって軸回りに捩じり可能な構成とすることもできる。そして、この筒状本体は、第１の筒体と第２の筒体との嵌合部に、相対回動させた状態に保持するための係止機構を係脱可能に設けるようにすることができ、また鏡体を第２の筒体に固定させ、第１の筒体に対しては相対回動不能で軸線方向に変位可能に装着することもできる。さらに、第１の筒体と第２の筒体とは、その嵌合長を変化可能となし、また鏡体は、第１の筒体に固定される第１の鏡体部と、前記第２の筒体に固定される第２の鏡体部とから構成し、これら第１の鏡体部と第２の鏡体部とは相互に所定長さ分だけ嵌合状態に装着することもできる。
【発明の効果】
【００１０】
以上の構成を採用することによって、観賞部に収容させた模様小片が鏡体に反射する際に、この鏡体の捩じれの影響で形状が変化し、またそれが多重反射することから、模様パターンの変化が著しく豊富になる。しかも、万華鏡の遊び手が鏡体の捩じり度合いを変化させることによって、つまり遊び手の能動的な動作により所望とする模様パターンを創出することができるので、遊具としての楽しみを増大させることができる等といった効果を奏する。
【発明を実施するための最良の形態】
【００１１】
以下、図面に基づいて本発明の実施の形態について説明する。まず、図１に万華鏡の半断面を示す。同図において、１は筒状本体、２は鏡体、３は覗き窓部、４は観賞部をそれぞれ示す。
【００１２】
筒状本体１は、それぞれ円筒形状となった第１の筒体１０と、第２の筒体１１とから構成され、第１の筒体１０の内径は第２の筒体１１の外径より大きくなっている。そして、第２の筒体１１は第１の筒体１０内に所定の長さだけ嵌合されている。
【００１３】
覗き窓部３は第１の筒体１０の先端部に固定して設けた円環状板体３０からなり、この円環状板体３０は不透明の部材からなり、その中央部には所定の直径を有する透孔３１が形成されている。そして、この透孔３１にはガラスまたは透明な樹脂からなる透明窓３２が装着されている。
【００１４】
観賞部４は円環状の枠体４０を有し、この枠体４０は第２の筒体１１の端部にねじ等の手段で固定されるようになっている。そして、枠体４０には相互に所定の間隔を置いて設けた円板４１，４２が装着されており、これら両円板４１，４２間の部位には模様小片４３を多数収容した収容空間４４となっている。そして、２枚の円板４１，４２のうち、第２の筒体１１の内部に臨む円板４１は透明部材からなり、外側に臨むもう１枚の円板４２はすりガラス状となった半透明部材から構成される。従って、この円板４２は外光を取り入れる採光部として機能する。なお、観賞部４を構成する収容空間４４は、透明板からなる仕切りを設けることにより、複数の収容空間を形成して、それぞれ異なる模様小片等を収容させるように構成することもできる。
【００１５】
鏡体２は、図２（ａ）にも示したように、３枚の鏡板２０から構成されており、これら各辺が相互に固着されて三角柱形状となっている。なお、鏡筒は三角柱形状だけでなく、四角柱等、所望の多角形状とすることができる。鏡板２０は、例えば曲げ方向に可撓性を有する透明樹脂板にアルミニウム等の金属膜をコートさせたものからなり、その内面を反射面とする。また、鏡体は中空形状の鏡筒となっているものだけでなく、中実構造の鏡体を用いることもできる。この中実構造で鏡体を構成する場合には、例えばシリコーンゴム等の透明なゴムを三角柱等の多角柱形状となし、その外周面にニッケル等を無電解メッキすることにより内面側に反射鏡面を形成することができる。
【００１６】
中空構造とするにしろ、また中実構造とするにしろ、鏡体２は、筒状本体１のほぼ全長に及ぶ長さを有するものであって、その一端は、図３に示したように、第１の筒体１０の端部近傍に装着した保持部材２１に嵌合されている。この保持部材２１は外周部が円形で、内部に鏡体２を嵌合させる三角形状の透孔２１ａが形成されており、鏡体２の端部はこの透孔２１ａに挿嵌されている。そして、保持部材２１は接着等の手段で第１の筒体１０内に固着されているが、鏡体２の端部は透孔２１ａ内に挿入されて、第１の筒体１０に対しては相対回動できないが、軸線方向には動けるようになっている。また、鏡体２の他端は第２の筒体１１の端部に設けた保持部材２２に形成した三角形状の透孔２２ａに挿嵌されている。そして、保持部材２２は、図４に示したように、第２の筒体１１の内面に固着されており、またその透孔２２ａに挿嵌される鏡体２は接着等により固着されている。従って、鏡体２の端部は第２の筒体１１に完全に固定されている。
【００１７】
次に、第１の筒体１０と第２の筒体１１との嵌合部の構成を図５に基づいて説明する。第２の筒体１１の先端部には外周方向に突出する円環状突条１１ａが形成されており、この円環状突条１１ａの先端面は第１の筒体１０の内面と当接している。一方、第１の筒体１０における第２の筒体１１への嵌合側端部にはクリックリング１２が螺挿されており、このクリックリング１２には半径方向内向きの突出部１２ａが形成されている。そして、この突出部１２ａには、装着孔１３が設けられており、この装着孔１３にはクリックボール１４が装着されており、このクリックボール１４はばね１５により装着孔１３から突出する方向に付勢されている。クリックリング１２の内径は第２の筒体１１の外径とほぼ一致しており、第２の筒体１１において、クリックリング１２が嵌合されている部位には、所定角度分だけ円弧状の凹部１６が形成されており、この凹部１６の表面には所定のピッチ間隔をもって複数のクリック溝１７が設けられている。
【００１８】
以上の構成によって、第１の筒体１０は第２の筒体１１に対して、クリックリング１２の突出部１２ａが第２の筒体１１の凹部１６に規制された角度分だけ相対回転させることができ、しかもクリックボール１４がいずれかのクリック溝１７に係合されると、第１，第２の筒体１０，１１が所定角度回転した状態に保持できるようになる。ここで、クリックボール１４のクリック溝１７への係合は、鏡体２が捩じられたときに、その復元力を受承する程度の係合力を有するが、手で強制的に回動させれば、クリックボール１４はクリック溝１７を乗り越えることができるようになっている。
【００１９】
ここで、第１の筒体１０と第２の筒体１１とを相互に反対方向に回動させることにより鏡体２が捩じられるが、あまり大きく捩じると、鏡板２０が永久変形したり、損傷したりするだけでなく、鏡面を形成する金属膜に亀裂が発生する等といった不都合が生じる。第２の筒体１１に設けた凹部１６の角度を限定したのはこのためであり、第１の筒体１０に固着したクリックリング１２が第２の筒体１１との間の凹部１６の立ち上がり壁１６ａ，１６ｂに当接する位置までしか回動できないように規制されている。
【００２０】
以上のように構成することによって、第１，第２の筒体１０，１１からなる筒状本体１内で鏡体２が捩じられなければ、一般的な万華鏡として機能する。そして、第１の筒体１０と第２の筒体１１とを相互に反対方向に回動させると、鏡体２の両端はこれら第１，第２の筒体１０，１１に相対回動不能に連結されているので、この鏡体２が捩じられることになる。その結果、本来であれば、鏡体２の断面形状が図２（ａ）に示したように正三角形であるが、鏡体２を構成する鏡板２０は曲げ方向に可撓性を有するものであるから、各辺を構成する鏡板２０が湾曲することになる。この湾曲状態は、通常は図２（ｂ）のように、３枚の鏡板２０が両辺の間で凸湾曲形状に変形することになる。ただし、鏡体２を中実構造とすると、湾曲変形することはない。そして、第１，第２の筒体１０，１１を相対回動させると、保持部材２１が保持部材２２に対して回動する結果、鏡体２の両端は正三角形を保ち、この両端から中間部に向かうに応じて湾曲の度合いが大きくなり、かつ鏡体２の頂点が左右いずれかの方向に振れる形状となる。
【００２１】
以上の結果、観賞部４における収容空間４４内に収容させた模様小片４３が鏡体２における鏡板２０の曲がり度合いよって形状が変化するようになり、しかも多重反射により様々な形状変化を受けることになるので、覗き窓部３からは、模様小片４３の形状が極めて多様に変化したパターンを観察することができる。しかも、第１の筒体１０と第２の筒体１１との回動角度を変化させれば、多重反射する模様小片４３の形状がさらに異なる変化を受けて、観察パターンが変化することになる。このように、万華鏡における観察パターンは単にこの万華鏡を回転させるだけでなく、遊び手側で第１，第２の筒体１０，１１の相対回動の度合いを調整することにより、積極的かつ能動的に観察パターンの変化を楽しむことができるので、あきのこない遊具となる。
【００２２】
そして、図６に示したように、多角柱形状の鏡体２００を第１の筒体１０に固定される第１の鏡体部２０１と、第２の筒体１１に固定される第２の鏡体部２０２とから構成し、これら第１，第２の鏡体部２０１，２０２を所定長さ分だけ嵌合させるようになし、そして第１の筒体１０と第２の筒体１１との嵌合長を変化させるように構成し、かつ第１の筒体１０と第２の筒体１１とを軸線方向に動かすことによって、筒状本体１の全長を伸縮するように変化させると共に、前述と同様、第１の筒体１０と第２の筒体１１とを相互に反対方向に回動させるように構成することもできる。そうすると、鏡体２００が捩じられるだけでなく、その全長が変化して、多重反射の回数も変化することから、さらにバライティーに富んだ観察パターンが得られることになる。なお、この場合には、クリック溝１１７は、少なくとも第１，第２の筒体１０，１１の伸縮によるクリックボール１４の移動長さ分の長さを持たせる必要がある。
【００２３】
さらに、図７乃至図１１に鏡体についてのさらに別の実施の形態を示す。この実施の形態においては、筒状本体３００の両端に装着される覗き窓部材３０１と観賞部材３０２との相対向する面に三角形を形成するために、図８に示したように、ボールジョイント３０３をそれぞれ３箇所設けておく。そして、これら覗き窓部材３０１のボールジョイント３０３と、それに相対向する位置に設けた観賞部材３０２側のボールジョイント３０３との間に、両端に球形部３０４ａを有するステー３０４を揺動可能に連結する。これにより、３本のステー３０４により変形可能な三角柱形状の骨組みが構成される。そして、この３本のステー３０４を取り巻くようにして鏡体３０５を装着する。この鏡体３０５はゴムシートの表面にニッケル等の金属を無電解メッキすることにより構成され、その反射面を内向きにして取り付ける。そして、覗き窓部材３０１を筒状本体３００内に相対回動及び軸線方向に変位可能に連結する。
【００２４】
以上のように構成することによっても、覗き窓部材３０１を筒状本体３００に対して相対回動させると、図９に示したように、３本のステー３０４は三角形状を保ったままで鏡体３０５が捩じられる。即ち、この図９のＣ−Ｃの断面位置では図１０に示した三角形状となっているのに対して、Ｄ−Ｄの断面位置では回動方向にシフトした三角形状となり、鏡体３０５が捩じられる。
【図面の簡単な説明】
【００２５】
【図１】本発明における第１の実施の形態を示す万華鏡の断面図である。
【図２】鏡体が捩じられる前の状態と、捩じられた状態とにおける形状変化を示す構成説明図である。
【図３】図１のＡ−Ａ断面図である。
【図４】図１のＢ−Ｂ断面図である。
【図５】図１のＳ部を円周方向に向けた拡大断面図である。
【図６】本発明における第２の実施の形態を示す万華鏡の断面図である。
【図７】本発明の第３の実施の形態を示す万華鏡の骨組み構造を示す斜視図である。
【図８】図７の骨組み構造におけるステーの端部連結機構を示す構成説明図である。
【図９】鏡体を仮想線で示した万華鏡の鏡体を捩じった状態の断面図である。
【図１０】図９のＣ−Ｃ位置での鏡体の形状を示す断面図である。
【図１１】図９のＤ−Ｄ位置での鏡体の形状を示す断面図である。
【符号の説明】
【００２６】
１，３００  筒状本体      ２，２００，３０５  鏡体
３  覗き窓部      ４  観賞部
１０  第１の筒体      １１  第２の筒体
１２  クリックリング      １２ａ  突出部
１４  クリックボール      １７，１１７  クリック溝
２０  鏡板      ２１，２２  保持部材
３０  円環状板体      ３２  透明窓
４０  枠体      ４１，４２  円板
４３  模様小片      ４４  収容空間
３０１  覗き部材      ３０２  観賞部材
３０３  ボールジョイント      ３０４  ステー
【図１】
2005284199.tif 000003
【図２】
2005284199.tif 000004
【図３】
2005284199.tif 000005
【図４】
2005284199.tif 000006
【図５】
2005284199.tif 000007
【図６】
2005284199.tif 000008
【図７】
2005284199.tif 000009
【図８】
2005284199.tif 000010
【図９】
2005284199.tif 000011
【図１０】
2005284199.tif 000012
【図１１】
2005284199.tif 000013